(57)【要約】  スレーブステーションとして構築されたヘッドセット等の通信ユニット。このスレーブステーションは、ブルートゥースタイプまたはＤＥＣＴタイプ等の短距離通信接続を介して携帯電話等の複数のマスターステーションに結合され得、１つ以上の識別キーが記憶され得る複数のアドレスフィールドを有する。アドレスフィールドの少なくとも１つは、一意の識別キーを有するアダプタマスターステーションによってのみロックが解除され得る、関連する電気ロックを有する。ヘッドセットを介して公衆交換電話の受話器を電気的または機械的に「持上げる」ことも可能であり、それにより、公衆交換電話からの呼出および会話が、ヘッドセットを介して実行かつ生成され得る。一実施例において、結合ボックスは、ヘッドセットが配置され得かつヘッドセットが結合ボックス内の充電ユニットを介して充電され得る凹部を有する。この発明により、公衆交換電話が可能な限り確実に使用され得るようになり、このことは、より良好な音声の再生に加え、コストの点でも好ましい。
2007507136.tif 000002
【特許請求の範囲】
【請求項１】
複数のマスターステーション（２，３）に結合されるように適合されるスレーブステーションとして構築された通信ユニット（１）であって、前記通信ユニットは、１つ以上の識別キーが記憶され得る複数のアドレスフィールドを有するメモリを有し、前記マスターステーションは、識別キーを有する識別セルを有し、結合は、前記マスターステーションの前記識別キーが前記通信ユニットの前記アドレスフィールドの１つに記憶されることにより、前記マスターステーションの１つと前記通信ユニットとの間で確立され、前記通信ユニットの前記アドレスフィールドの少なくとも１つが、アドレスフィールドおよび関連する電気ロックを有して構成されることと、前記マスターステーションが前記電気ロックを開放するための一意の識別キーを有する場合にのみ、前記アドレスフィールドが上書きされ得ることとを特徴とする、通信ユニット。
【請求項２】
固定されたアドレスフィールドが、特定のマスターステーションにのみ結合されるように予め規定されることを特徴とする、請求項１に記載の通信ユニット。
【請求項３】
前記結合が、ブルートゥースタイプまたはＤＥＣＴタイプの短距離通信接続により確立されることを特徴とする、請求項１〜２に記載の通信ユニット。
【請求項４】
前記通信ユニットがヘッドセットであることを特徴とする、請求項１〜３に記載の通信接続。
【請求項５】
前記マスターステーションが、一意の識別キーを有するアダプタマスターステーションであることと、前記アダプタマスターステーションが、別のマスターステーションに、好ましくは公衆交換電話に、任意に無線式に結合されることとを特徴とする、請求項１〜４に記載の通信ユニット。
【請求項６】
前記アダプタマスターステーションが、前記通信ユニットに指示信号を送出し、たとえば音声を発することにより、前記通信ユニットが前記アダプタマスターステーションに結合され得るか否かが前記通信ユニットにおいて確認され得るようにし、結合され得る場合、前記アダプタマスターステーションへの優先的な接続が設けられることを特徴とする、請求項５に記載の通信ユニット。
【請求項７】
前記マスターステーションが、公衆交換電話、携帯電話、またはＩＰ結合等であることを特徴とする、請求項１〜６に記載の通信接続。
【請求項８】
前記アダプタマスターステーションが、前記ヘッドセットと別のマスターステーション、たとえば携帯電話との間の信号の強度を基準として、前記通信ユニットとマスターステーション、たとえば公衆交換電話との間の信号の強度を調節するための音量調整ユニットを有することを特徴とする、請求項５〜７に記載の通信ユニット。
【請求項９】
前記アダプタマスターステーションが、前記公衆交換電話の受話器を持ち上げるか、または置くように適合される電気回路または機械的構造を有することを特徴とする、請求項５〜８に記載の通信ユニット。
【請求項１０】
前記アダプタマスターステーションが、呼出時に特別な音声を発することを特徴とする、請求項５〜９に記載の通信ユニット。
【請求項１１】
前記アダプタマスターステーションが、前記ヘッドセットを充電するための充電ユニットを有することを特徴とする、請求項５〜１０に記載の通信ユニット。
【発明の詳細な説明】
【技術分野】
【０００１】
この発明は、複数のマスターステーションに結合されるように適合されるスレーブステーションとして構築された通信ユニットに関し、該通信ユニットは、１つ以上の識別キーが記憶され得る複数のアドレスフィールドを有するメモリを有し、該マスターステーションは、識別キーを有する識別セルを有し、マスターステーションの識別キーが通信ユニットのアドレスフィールドの１つに記憶されていることにより、マスターステーションの１つと通信ユニットとの間に結合が確立される。
【背景技術】
【０００２】
上述のヘッドセットを含むネットワークのシステム原理は、たとえば、公開された米国特許出願第２００２／００６１００９  Ａ１に記載されている。
【０００３】
今日、多くの携帯電話は、呼出および呼出への応答に関してヘッドセットを使用する。なぜなら、これによって携帯電話のユーザが、呼出中に両手を空けておき、ＰＣの操作等であることが考えられる他のタスクを行ない得るためである。
【０００４】
これまで、ヘッドセットは、電線を介して携帯電話に接続されてきたが、短距離通信接続が設けられた後は、有線接続の代わりにこれらの短距離通信接続を使用することが広く一般的になった。
【０００５】
最も広く使用されている２つの無線通信が、いわゆるブルートゥース（Bluetooth）およびＤＥＣＴ規格であり、ブルートゥースは約１０メートルの範囲、ＤＥＣＴ規格は約１５０メートルの範囲を有する。
【０００６】
今日、公衆交換電話とヘッドセットとの間の無線通信接続もまた公知であり、これらの無線接続もまた同様に、ブルートゥースおよびＤＥＣＴに基づく。
【０００７】
公衆交換電話とヘッドセットとの間のこのような接続は、公衆交換電話とヘッドセットとの間にアダプタ回路を挿入することによって確立され、該アダプタ回路は、電線によって公衆交換電話に、かつ、無線式にヘッドセットに接続される。このアダプタステーションは一般に、ヘッドセット用のホルダとして構成され得、ヘッドセット用の充電回路を含み得る。このようなアダプタステーションの一例は、米国意匠特許第Ｄ  ４３３００５号に見ることができる。
【０００８】
公衆交換電話に関し、ユーザにとってヘッドセットがさらに使い易くなるように、公衆交換電話への呼出時に「受話器を持ち上げる」電気回路を挿入することができる。それによりユーザは、公衆交換電話に歩み寄って呼出に応答する必要がなくなり、ヘッドセットからの直接の応答が可能になる。
【０００９】
たとえば、所定の公衆交換電話が電気的な解決策に適さない場合、別の選択肢は、公衆交換電話に機械的な持上げ装置を追加して、受話器を持ち上げることである。機械的な持上げ装置の一例は、ＷＯ  ９９／４９６４２に記載されている。
【発明の開示】
【発明が解決しようとする課題】
【００１０】
携帯電話は、広範囲にわたって使用されるようになり、成長の点で公衆交換電話を追い抜いたことは明らかである。しかしながら、携帯電話の技術が技術的に著しく改善された
にもかかわらず、公衆交換電話の方が依然として良好な音声品質を有しており、加えて、携帯電話よりも公衆交換電話を使用する方が、極めて安価である。
【００１１】
多くの携帯電話のユーザが公衆交換電話にアクセスすることができ、かなり高い頻度で公衆交換電話の付近に存在しているにも拘らず、それが自宅であるか職場であるかに関わらず、呼出が行なわれるべき時には公衆交換電話が「忘れ去られて」しまうことが多い。その理由は、単に習慣的なものであることが考えられるが、関与する別の要因は、おそらく、携帯電話に対して一層高度な呼出のオプションが備わっており、携帯電話への電話番号の記憶およびそこからの検索が容易であるために、電話番号へのアクセスが一層容易な点であろう。
【００１２】
このことに鑑みて、携帯電話のすべての利点が組み込まれ、かつ、公衆交換電話からの呼出が、同じ快適さを維持したまま一層自然な行為となる電話システムを設計し得ることが望ましい。
【課題を解決するための手段】
【００１３】
この発明の目的は、請求項１の導入部に規定されたタイプのヘッドセットにより達成され、請求項１は、通信ユニットのアドレスフィールドの少なくとも１つが、アドレスフィールドおよび関連する電気ロックを有して構成されることと、マスターステーションが電気ロックを開放する一意の識別キーを有する場合にのみ、アドレスが上書きされ得ることとを特徴とする。
【００１４】
これにより、通信ユニットとマスターステーションとの間の自動的な結合が確立され得る。なぜなら、通信ユニット内のアドレスフィールドが、これにより、一意の識別キーを有する通信ユニットにのみ結合されるように確保されるためである。
【００１５】
請求項２に述べるように、固定されたアドレスフィールドが、特定のマスターステーションにのみ結合されるように予め規定されると、一意の識別キーを有する選択されたマスターステーションのみが通信ユニットに結合され得ることが有利にも確実となる。
【００１６】
請求項３に述べるように、適切にも、ブルートゥースタイプまたはＤＥＣＴタイプの短距離通信接続により結合が確立され、さらに、請求項４に述べるように、これらの通信ユニットがヘッドセットである場合、この結合は、ユーザにとって使用しやすい。
【００１７】
マスターステーションにおける電気的な変更ができるだけ少ない状態で、識別セルを有するマスターステーションを通信ユニットに適合させる目的で、請求項５に述べるように、マスターステーションが、一意の識別キーを有するアダプタマスターステーションであり、さらに、アダプタマスターステーションが、他のマスターステーション、好ましくは公衆交換電話に、任意に無線式に結合される場合、有利である。
【００１８】
請求項６に述べるように、アダプタマスターステーションが通信ユニットに指示信号を送出し、たとえば音声を発することにより、通信ユニットがアダプタマスターステーションに接続可能であるか否かが通信ユニットにおいて確認され得るようにし、接続可能である場合に、アダプタマスターステーションへの優先的な接続が設けられる場合、たとえばヘッドセット上のボタンを作動させることによって呼出を行ないたいと望むユーザには有利である。
【００１９】
請求項７に述べるように、マスターステーションが公衆交換電話、または携帯電話等である場合、この利点は特に顕著となる。
【００２０】
さまざまなマスターステーションに対して接続が確立される際にユーザの快適性を高めるために、請求項８に述べるように、アダプタマスターステーションが、ヘッドセットと別のマスターステーション、たとえば携帯電話との間の信号の強度を基準として、通信ユニットとマスターステーション、たとえば公衆交換電話との間の信号の強度を調節するための音量調整ユニットを有する場合、有利である。
【００２１】
呼出に対して、公衆交換電話の使用が携帯電話の使用と全く同様に魅力的でなければならないという意味での快適性を高めるために、請求項９で述べるように、アダプタマスターステーションが、公衆交換電話の受話器を持上げるか、または置くように適合される電気回路または機械的構造を有する場合、有利である。これにより、ユーザが呼出を受けたときに、公衆交換電話へと物理的に歩み寄る必要がなくなるという利点が提供される。
【００２２】
請求項１０で述べるように、アダプタマスターステーションが呼出時に音声を発する場合、この利点はさらに高められる。
【００２３】
請求項１１で述べるように、アダプタマスターステーションが、ヘッドセットを充電するための充電ユニットを有する場合、別個の充電ユニットを得る必要性がなくなるのと同時に、ユーザは、この時点で公衆交換電話の存在に気付くようになる。
【発明を実施するための最良の形態】
【００２４】
次に、図面を参照してこの発明をより十分に説明する。
図１において、番号１は、ここでは無線タイプのヘッドセットとしての通信ユニットを示し、このヘッドセットは、矢印１１および１２により概略的に示されるブルートゥース結合またはＤＥＣＴ結合により、たとえば、マスターステーションの形をとった別の通信ユニットと通信することができる。このヘッドセットは、複数のアドレスフィールドを有し、これらのアドレスフィールドのいくつかは、８において示され、公知のようにアドレス指定され得、アドレスフィールドの別のいくつかは、それらの１つのみが図示されて９と指定されており、或る特定の状況下においてのみ変更され得るアドレスを有する。以下を参照されたい。
【００２５】
このアドレスは、マスターステーションと通信ユニットとの間の結合を確立し得るためにマスターステーションが有していなければならない識別キーを必要とする。
【００２６】
図１において、通信ユニットは、それぞれ５および６で示された２つのいわゆるピコネットネットワーク内で結合される。一方のピコネットネットワーク５は、ここでは携帯電話２であるマスターステーションとヘッドセット１とを含んでいることが示され、他方のピコネットネットワーク６は、ヘッドセット１と、その機能を以下に説明するアダプタマスターステーション４と、アダプタマスターステーション４に結合されて公衆交換電話３として図示される外部ユニットとを含むことが示される。
【００２７】
次に、ピコネットネットワーク５内で通信がどのように行なわれるかを説明する。携帯電話２が存在する領域５内にヘッドセットが移動して起動信号がヘッドセット１から与えられる場合に、携帯電話２からヘッドセット１内のアドレスフィールドに短距離通信接続を介して識別キーが転送され、それにより、ヘッドセット１と携帯電話２との間に通信接続が設定される。
【００２８】
したがって、ユーザは自分の携帯電話２をポケットに入れたままで、またはテーブルの上に放置したままで、ヘッドセット１を介して携帯電話２への呼出を受けることができる。
【００２９】
ユーザがその領域を出て別の領域内に移動した場合、同じプロセスが繰返され得る。なぜなら、携帯電話またはＰＣ等であることが考えられる別のマスターステーションに結合するために、新規の識別キーがヘッドセット１に記憶されるためである。
【００３０】
ヘッドセット内における、一般には８個のアドレスフィールドのすべてが使用される場合、さらに別のマスターステーションに結合する要求は、それらのアドレスフィールドのうちの１つ、たとえば最も古いアドレスフィールドが上書きされることを意味する。
【００３１】
ヘッドセットから携帯電話に指令を転送するように、音声認識回路も接続される場合、携帯電話を作動させる必要なくヘッドセットから呼出を行なうこともさらに可能である。
【００３２】
上述の固定されたアドレスフィールド９は、ヘッドセットと一意の識別キーを有するマスターステーションとを相互接続するために使用される。該固定されたアドレスフィールドは、一意の識別キーによってのみ開放され得る、関連する電気ロックを有する。すなわち、一意の識別キーを有するマスターステーションのみが、アダプタマスターステーション４にそのアドレスを記憶することができる。したがって、アドレスフィールド９は、電気ロックが開放されないまま上書きされ得ない。
【００３３】
アダプタマスターステーションには、１３において概略的に示される、指示信号を送出する回路（図示せず）が一般に装着され得る。この指示信号は、ヘッドセットにより捕捉され得、ヘッドセットは次いで、音声信号をユーザに与えることができる。ユーザはそれにより、呼出の実施または呼出への応答時に、公衆交換電話の使用が可能であることを認識する。任意に、この音声信号は、アダプタマスターステーションとヘッドセットとの間の通信接続の有効範囲の領域内にユーザが進入したか、または有効範囲の領域から退出したときに、単に送出され得る。
【００３４】
加えて、アダプタマスターステーション４には、参照番号１４により示される音量調整器が装着され得る。これにより、ユーザがちょうど２つの呼出を、一部を公衆交換電話、また一部を携帯電話で行なう際に、２つの電話からの音量が等しくなるように調節されるまで、ユーザは、公衆交換電話３からの音量を、携帯電話２からの音量と同じレベルに適合させることができる。
【００３５】
図１に示すように、マスターステーションは、その識別キーを介してヘッドセットに結合され得る公衆交換電話３であり得る。そして、識別キーがヘッドセットに記憶され得るため、ヘッドセットへの接続は、短距離通信接続が確立され得る領域内にユーザが単に移動することによって確立され得る。
【００３６】
適切な場合、ヘッドセットは、通信接続が確立されたときにユーザに信号を与えるように適合され得、それによりユーザは、ユーザ自身が設定していない代替的な接続への結合を認識する。
【００３７】
アダプタマスターステーション４は、入力部および出力部を有するユニットであり、該入力部は、短距離通信接続１２を介してヘッドセット１と通信するように適合される無線通信ゲートである。ここで出力部は、公衆交換電話３に結合された有線接続７として示される。
【００３８】
任意に、公衆交換電話に電気的または機械的な持上げ機構が設けられ、それにより、ユーザ自身が物理的に受話器１０を持上げる必要なく、受話器１０が持上げられ得る。
【００３９】
図２は、図１に関連して説明した原理に関して、説明の通りに接続された物理的通信ユ
ニットを有するセットアップである。
【００４０】
図２において認識できるように、ヘッドセット１と、携帯電話２と、受話器１０を有する公衆交換電話３と、アダプタマスターステーション４とが含まれる。ヘッドセット１は、アダプタマスターステーション４内に配置され、アダプタマスターステーション４は、ヘッドセット１がその中に配置され得るように、かつ、充電回路（図示せず）を介してヘッドセット１を充電し得るように構築される。
【００４１】
図１および図２に示すセットアップの、考え得る機能の多数の例を以下に示す。
ユーザは、複数の携帯電話および１つの公衆交換電話からの呼出を受信するように結合された領域に存在する。携帯電話のうちの１つまたは公衆交換電話が鳴った瞬間に、ユーザは、ヘッドセット上のボタンを作動させることによって呼出に応答し、その後、正しい接続が確立される。なぜなら、すべての携帯電話および公衆交換電話が、ヘッドセットに記憶されたアドレスを介して別個に識別され得るためである。１つの選択肢として、ユーザは、最良の音声品質を得るために、携帯電話からの呼出を、公衆交換電話に再度方向付けることを決めることができる。
【００４２】
ユーザが外部への呼出を行なうことを望む場合、いくつかの選択肢が存在する。
ユーザが当該ユーザのヘッドセット上の呼出ボタンを作動させる瞬間に、ヘッドセットと公衆交換電話との間にアダプタマスターステーションを介して通信接続が自動的に確立されるようにセットアップを設計することができ、それによりユーザは、最良の音声品質を得て、かつ、その呼出に対する費用を負担する責任を負う。
【００４３】
別の選択肢は、ユーザにとって最も近接するユニットに通信接続を確立することである。この場合、接続が確立されている携帯電話のヘッドセットを介してユーザが通知を受ける場合、最も実用的である。
【００４４】
最後に、やはり、ユーザがどのユニットから呼出を行なっているかを必ずしも認識する必要なく、音声認識回路により、任意のユニットから呼出を行なうことができる。
【００４５】
携帯電話および公衆交換電話を含むピコネットネットワークに関してこの発明を特に説明してきたが、請求項により規定される範囲内において、複数のスレーブステーションと、複数のマスターステーションと、短距離無線通信接続を介して相互接続され、任意に部分的に電線を介して接続された複数のアダプタマスターステーションとを含むピコネットネットワークにおいて、この発明を適用してもかまわない。また、ＰＩＮコードにより作動するロックとして電気ロックが構成され得る選択肢も存在する。
【図面の簡単な説明】
【００４６】
【図１】この発明に従った通信ユニットの機能の原理を示す図である。
【図２】ヘッドセットと、公衆交換電話と、ヘッドセットとの間の結合がどのように設定されるかについての例を示す図である。
【図１】
2007507136.tif 000003
【図２】
2007507136.tif 000004
【手続補正書】
【提出日】平成18年3月30日(2006.3.30)
【手続補正１】
【補正対象書類名】特許請求の範囲
【補正対象項目名】全文
【補正方法】変更
【補正の内容】
【特許請求の範囲】
【請求項１】
無線接続を介して複数のマスターステーション（２）に結合されるように適合されるスレーブステーションとして構築された通信ユニット（１）であって、前記通信ユニットは、１つ以上の識別キーが記憶され得る複数のアドレスフィールドを有するメモリを有し、結合は、前記マスターステーションの識別キーが前記通信ユニットの前記アドレスフィールドの１つに記憶されることにより、前記マスターステーションの１つと前記通信ユニットとの間で確立され、前記通信ユニットの前記アドレスフィールドの少なくとも１つが、固定されたアドレスフィールドおよび関連する電気ロックを有して構成されることと、前記複数のマスターステーションのうちの或る特定のマスターステーションが前記電気ロックを開放するための一意の識別キーを有する場合にのみ、前記アドレスフィールドが上書きされ得ることとを特徴とする、通信ユニット。
【請求項２】
固定されたアドレスフィールドが、特定のマスターステーションにのみ結合されるように予め規定されることを特徴とする、請求項１に記載の通信ユニット。
【請求項３】
前記結合が、ブルートゥースタイプまたはＤＥＣＴタイプの短距離通信接続により確立されることを特徴とする、請求項１〜２に記載の通信ユニット。
【請求項４】
前記通信ユニットがヘッドセットであることを特徴とする、請求項１〜３に記載の通信接続。
【請求項５】
前記マスターステーションが、一意の識別キーを有するアダプタマスターステーションであることと、前記アダプタマスターステーションが、公衆交換電話に任意に無線式に結合されることとを特徴とする、請求項１〜４に記載の通信ユニット。
【請求項６】
前記アダプタマスターステーションが、前記通信ユニットに指示信号を送出し、たとえば音声を発することにより、前記通信ユニットが前記アダプタマスターステーションに結合され得るか否かが前記通信ユニットにおいて確認され得るようにし、結合され得る場合、前記アダプタマスターステーションへの優先的な接続が設けられることを特徴とする、
請求項５に記載の通信ユニット。
【請求項７】
前記マスターステーションが、公衆交換電話、または携帯電話等であることを特徴とする、請求項１〜６に記載の通信接続。
【請求項８】
前記アダプタマスターステーションが、前記ヘッドセットと別のマスターステーション、たとえば携帯電話との間の信号の強度を基準として、前記通信ユニットとマスターステーション、たとえば公衆交換電話との間の信号の強度を調節するための音量調整ユニットを有することを特徴とする、請求項５〜７に記載の通信ユニット。
【請求項９】
前記アダプタマスターステーションが、前記公衆交換電話の受話器を持ち上げるか、または置くように適合される電気回路または機械的構造を有することを特徴とする、請求項５〜８に記載の通信ユニット。
【請求項１０】
前記アダプタマスターステーションが、呼出時に特別な音声を発することを特徴とする、請求項５〜９に記載の通信ユニット。
【請求項１１】
前記アダプタマスターステーションが、前記ヘッドセットを充電するための充電ユニットを有することを特徴とする、請求項５〜１０に記載の通信ユニット。
【手続補正２】
【補正対象書類名】明細書
【補正対象項目名】全文
【補正方法】変更
【補正の内容】
【発明の詳細な説明】
【技術分野】
【０００１】
この発明は、無線接続を介して複数のマスターステーションに結合されるように適合されるスレーブステーションとして構築された通信ユニットに関し、該通信ユニットは、１つ以上の識別キーが記憶され得る複数のアドレスフィールドを有するメモリを有し、マスターステーションの識別キーが通信ユニットのアドレスフィールドの１つに記憶されていることにより、マスターステーションの１つと通信ユニットとの間に結合が確立される。
【背景技術】
【０００２】
上述のヘッドセットを含むネットワークのシステム原理は、たとえば、公開された米国特許出願第２００２／００６１００９  Ａ１に記載されている。
【０００３】
今日、多くの携帯電話は、呼出および呼出への応答に関してヘッドセットを使用する。なぜなら、これによって携帯電話のユーザが、呼出中に両手を空けておき、ＰＣの操作等であることが考えられる他のタスクを行ない得るためである。
【０００４】
これまで、ヘッドセットは、電線を介して携帯電話に接続されてきたが、短距離通信接続が設けられた後は、有線接続の代わりにこれらの短距離通信接続を使用することが広く一般的になった。
【０００５】
最も広く使用されている２つの無線通信が、いわゆるブルートゥース（Bluetooth）およびＤＥＣＴ規格であり、ブルートゥースは約１０メートルの範囲、ＤＥＣＴ規格は約１５０メートルの範囲を有する。
【０００６】
今日、公衆交換電話とヘッドセットとの間の無線通信接続もまた公知であり、これらの無線接続もまた同様に、ブルートゥースおよびＤＥＣＴに基づく。
【０００７】
公衆交換電話とヘッドセットとの間のこのような接続は、公衆交換電話とヘッドセットとの間にアダプタ回路を挿入することによって確立され、該アダプタ回路は、電線によって公衆交換電話に、かつ、無線式にヘッドセットに接続される。このアダプタステーションは一般に、ヘッドセット用のホルダとして構成され得、ヘッドセット用の充電回路を含み得る。このようなアダプタステーションの一例は、米国意匠特許第Ｄ  ４３３００５号に見ることができる。
【０００８】
公衆交換電話に関し、ユーザにとってヘッドセットがさらに使い易くなるように、公衆交換電話への呼出時に「受話器を持ち上げる」電気回路を挿入することができる。それによりユーザは、公衆交換電話に歩み寄って呼出に応答する必要がなくなり、ヘッドセットからの直接の応答が可能になる。
【０００９】
たとえば、所定の公衆交換電話が電気的な解決策に適さない場合、別の選択肢は、公衆交換電話に機械的な持上げ装置を追加して、受話器を持ち上げることである。機械的な持上げ装置の一例は、ＷＯ  ９９／４９６４２に記載されている。
【発明の開示】
【発明が解決しようとする課題】
【００１０】
携帯電話は、広範囲にわたって使用されるようになり、成長の点で公衆交換電話を追い抜いたことは明らかである。しかしながら、携帯電話の技術が技術的に著しく改善されたにもかかわらず、公衆交換電話の方が依然として良好な音声品質を有しており、加えて、携帯電話よりも公衆交換電話を使用する方が、極めて安価である。
【００１１】
多くの携帯電話のユーザが公衆交換電話にアクセスすることができ、かなり高い頻度で公衆交換電話の付近に存在しているにも拘らず、それが自宅であるか職場であるかに関わらず、呼出が行なわれるべき時には公衆交換電話が「忘れ去られて」しまうことが多い。その理由は、単に習慣的なものであることが考えられるが、関与する別の要因は、おそらく、携帯電話に対して一層高度な呼出のオプションが備わっており、携帯電話への電話番号の記憶およびそこからの検索が容易であるために、電話番号へのアクセスが一層容易な点であろう。
【００１２】
ＵＳ  ２００２／００９０９１２は、適合するＰＩＮコードをマスターステーションが有する場合にマスターステーションのグループに結合されるように、通信ユニットを有するユーザがＰＩＮコードを入力することのできる、ピコネットネットワークを開示している。このことは、ＰＩＮコードを送信し得るどのような通信装置も、マスターステーションに結合され得ることを意味する。
【００１３】
このことに鑑みて、携帯電話のすべての利点が組み込まれ、かつ、公衆交換電話からの呼出が、同じ快適さを維持したまま一層自然な行為となる電話システムを設計し得ることが望ましい。
【課題を解決するための手段】
【００１４】
この発明の目的は、請求項１の導入部に規定されたタイプのヘッドセットにより達成され、請求項１は、通信ユニットのアドレスフィールドの少なくとも１つが、固定されたアドレスフィールドおよび関連する電気ロックを有して構成されることと、複数のマスターステーションのうちの或る特定のマスターステーションが電気ロックを開放する一意の識別キーを有する場合にのみ、アドレスフィールドが上書きされ得ることとを特徴とする。
【００１５】
これにより、通信ユニットとマスターステーションとの間の自動的な結合が確立され得る。なぜなら、通信ユニット内のアドレスフィールドが、これにより、一意の識別キーを有する通信ユニットにのみ結合されるように確保されるためである。すなわち、通信装置内の電気ロックのロックを解除することのできるマスターステーションのみが、この通信装置に結合され得る。
【００１６】
請求項２に述べるように、固定されたアドレスフィールドが、特定のマスターステーションにのみ結合されるように予め規定されると、一意の識別キーを有する選択されたマスターステーションのみが通信ユニットに結合され得ることが有利にも確実となる。
【００１７】
請求項３に述べるように、適切にも、ブルートゥースタイプまたはＤＥＣＴタイプの短距離通信接続により結合が確立され、さらに、請求項４に述べるように、これらの通信ユニットがヘッドセットである場合、この結合は、ユーザにとって使用しやすい。
【００１８】
マスターステーションにおける電気的な変更ができるだけ少ない状態で、識別セルを有するマスターステーションを通信ユニットに適合させる目的で、請求項５に述べるように、マスターステーションが、一意の識別キーを有するアダプタマスターステーションであり、さらに、アダプタマスターステーションが、公衆交換電話に任意に無線式に結合される場合、有利である。
【００１９】
請求項６に述べるように、アダプタマスターステーションが通信ユニットに指示信号を送出し、たとえば音声を発することにより、通信ユニットがアダプタマスターステーションに接続可能であるか否かが通信ユニットにおいて確認され得るようにし、接続可能である場合に、アダプタマスターステーションへの優先的な接続が設けられる場合、たとえばヘッドセット上のボタンを作動させることによって呼出を行ないたいと望むユーザには有利である。
【００２０】
請求項７に述べるように、マスターステーションが公衆交換電話、または携帯電話等である場合、この利点は特に顕著となる。
【００２１】
さまざまなマスターステーションに対して接続が確立される際にユーザの快適性を高めるために、請求項８に述べるように、アダプタマスターステーションが、ヘッドセットと別のマスターステーション、たとえば携帯電話との間の信号の強度を基準として、通信ユニットとマスターステーション、たとえば公衆交換電話との間の信号の強度を調節するための音量調整ユニットを有する場合、有利である。
【００２２】
呼出に対して、公衆交換電話の使用が携帯電話の使用と全く同様に魅力的でなければならないという意味での快適性を高めるために、請求項９で述べるように、アダプタマスターステーションが、公衆交換電話の受話器を持上げるか、または置くように適合される電気回路または機械的構造を有する場合、有利である。これにより、ユーザが呼出を受けたときに、公衆交換電話へと物理的に歩み寄る必要がなくなるという利点が提供される。
【００２３】
請求項１０で述べるように、アダプタマスターステーションが呼出時に音声を発する場合、この利点はさらに高められる。
【００２４】
請求項１１で述べるように、アダプタマスターステーションが、ヘッドセットを充電するための充電ユニットを有する場合、別個の充電ユニットを得る必要性がなくなるのと同時に、ユーザは、この時点で公衆交換電話の存在に気付くようになる。
【発明を実施するための最良の形態】
【００２５】
次に、図面を参照してこの発明をより十分に説明する。
図１において、番号１は、ここでは無線タイプのヘッドセットとしての通信ユニットを示し、このヘッドセットは、矢印１１および１２により概略的に示されるブルートゥース結合またはＤＥＣＴ結合により、たとえば、マスターステーションの形をとった別の通信ユニットと通信することができる。このヘッドセットは、複数のアドレスフィールドを有し、これらのアドレスフィールドのいくつかは、８において示され、公知のようにアドレス指定され得、アドレスフィールドの別のいくつかは、それらの１つのみが図示されて９と指定されており、或る特定の状況下においてのみ変更され得るアドレスを有する。以下を参照されたい。
【００２６】
このアドレスは、マスターステーションと通信ユニットとの間の結合を確立し得るためにマスターステーションが有していなければならない識別キーを必要とする。
【００２７】
図１において、通信ユニットは、それぞれ５および６で示された２つのいわゆるピコネットネットワーク内で結合される。一方のピコネットネットワーク５は、ここでは携帯電話２であるマスターステーションとヘッドセット１とを含んでいることが示され、他方のピコネットネットワーク６は、ヘッドセット１と、その機能を以下に説明するアダプタマスターステーション４と、アダプタマスターステーション４に結合されて公衆交換電話３として図示される外部ユニットとを含むことが示される。
【００２８】
次に、ピコネットネットワーク５内で通信がどのように行なわれるかを説明する。携帯電話２が存在する領域５内にヘッドセットが移動して起動信号がヘッドセット１から与えられる場合に、携帯電話２からヘッドセット１内のアドレスフィールドに短距離通信接続を介して識別キーが転送され、それにより、ヘッドセット１と携帯電話２との間に通信接続が設定される。
【００２９】
したがって、ユーザは自分の携帯電話２をポケットに入れたままで、またはテーブルの上に放置したままで、ヘッドセット１を介して携帯電話２への呼出を受けることができる。
【００３０】
ユーザがその領域を出て別の領域内に移動した場合、同じプロセスが繰返され得る。なぜなら、携帯電話またはＰＣ等であることが考えられる別のマスターステーションに結合するために、新規の識別キーがヘッドセット１に記憶されるためである。
【００３１】
ヘッドセット内における、一般には８個のアドレスフィールドのすべてが使用される場合、さらに別のマスターステーションに結合する要求は、それらのアドレスフィールドのうちの１つ、たとえば最も古いアドレスフィールドが上書きされることを意味する。
【００３２】
ヘッドセットから携帯電話に指令を転送するように、音声認識回路も接続される場合、携帯電話を作動させる必要なくヘッドセットから呼出を行なうこともさらに可能である。
【００３３】
上述の固定されたアドレスフィールド９は、ヘッドセットと一意の識別キーを有するマスターステーションとを相互接続するために使用される。該固定されたアドレスフィールドは、一意の識別キーによってのみ開放され得る、関連する電気ロックを有する。すなわち、一意の識別キーを有するマスターステーションのみが、ヘッドセット１にそのアドレスを記憶することができる。したがって、アドレスフィールド９は、電気ロックが開放されないまま上書きされ得ない。
【００３４】
アダプタマスターステーションには、１３において概略的に示される、指示信号を送出
する回路（図示せず）が一般に装着され得る。この指示信号は、ヘッドセットにより捕捉され得、ヘッドセットは次いで、音声信号をユーザに与えることができる。ユーザはそれにより、呼出の実施または呼出への応答時に、公衆交換電話の使用が可能であることを認識する。任意に、この音声信号は、アダプタマスターステーションとヘッドセットとの間の通信接続の有効範囲の領域内にユーザが進入したか、または有効範囲の領域から退出したときに、単に送出され得る。
【００３５】
加えて、アダプタマスターステーション４には、参照番号１４により示される音量調整器が装着され得る。これにより、ユーザがちょうど２つの呼出を、一部を公衆交換電話、また一部を携帯電話で行なう際に、２つの電話からの音量が等しくなるように調節されるまで、ユーザは、公衆交換電話３からの音量を、携帯電話２からの音量と同じレベルに適合させることができる。
【００３６】
図１に示すように、マスターステーションは、その識別キーによりアダプタマスターステーションを介してヘッドセットに結合され得る公衆交換電話３であり得る。そして、識別キーがヘッドセットに記憶され得るため、ヘッドセットへの接続は、短距離通信接続が確立され得る領域内にユーザが単に移動することによって確立され得る。
【００３７】
適切な場合、ヘッドセットは、通信接続が確立されたときにユーザに信号を与えるように適合され得、それによりユーザは、ユーザ自身が設定していない代替的な接続への結合を認識する。
【００３８】
アダプタマスターステーション４は、入力部および出力部を有するユニットであり、該入力部は、短距離通信接続１２を介してヘッドセット１と通信するように適合される無線通信ゲートである。ここで出力部は、公衆交換電話３に結合された有線接続７として示される。
【００３９】
任意に、公衆交換電話に電気的または機械的な持上げ機構が設けられ、それにより、ユーザ自身が物理的に受話器１０を持上げる必要なく、受話器１０が持上げられ得る。
【００４０】
図２は、図１に関連して説明した原理に関して、説明の通りに接続された物理的通信ユニットを有するセットアップである。
【００４１】
図２において認識できるように、ヘッドセット１と、携帯電話２と、受話器１０を有する公衆交換電話３と、アダプタマスターステーション４とが含まれる。ヘッドセット１は、アダプタマスターステーション４内に配置され、アダプタマスターステーション４は、ヘッドセット１がその中に配置され得るように、かつ、充電回路（図示せず）を介してヘッドセット１を充電し得るように構築される。
【００４２】
図１および図２に示すセットアップの、考え得る機能の多数の例を以下に示す。
ユーザは、複数の携帯電話および１つの公衆交換電話からの呼出を受信するように結合された領域に存在する。携帯電話のうちの１つまたは公衆交換電話が鳴った瞬間に、ユーザは、ヘッドセット上のボタンを作動させることによって呼出に応答し、その後、正しい接続が確立される。なぜなら、すべての携帯電話および公衆交換電話が、ヘッドセットに記憶されたアドレスを介して別個に識別され得るためである。１つの選択肢として、ユーザは、最良の音声品質を得るために、携帯電話からの呼出を、公衆交換電話に再度方向付けることを決めることができる。
【００４３】
ユーザが外部への呼出を行なうことを望む場合、いくつかの選択肢が存在する。
ユーザが当該ユーザのヘッドセット上の呼出ボタンを作動させる瞬間に、ヘッドセット
と公衆交換電話との間にアダプタマスターステーションを介して通信接続が自動的に確立されるようにセットアップを設計することができ、それによりユーザは、最良の音声品質を得て、かつ、その呼出に対する費用を負担する責任を負う。
【００４４】
別の選択肢は、ユーザにとって最も近接するユニットに通信接続を確立することである。この場合、接続が確立されている携帯電話のヘッドセットを介してユーザが通知を受ける場合、最も実用的である。
【００４５】
最後に、やはり、ユーザがどのユニットから呼出を行なっているかを必ずしも認識する必要なく、音声認識回路により、任意のユニットから呼出を行なうことができる。
【００４６】
携帯電話および公衆交換電話を含むピコネットネットワークに関してこの発明を特に説明してきたが、請求項により規定される範囲内において、複数のスレーブステーションと、複数のマスターステーションと、短距離無線通信接続を介して相互接続され、任意に部分的に電線を介して接続された複数のアダプタマスターステーションとを含むピコネットネットワークにおいて、この発明を適用してもかまわない。また、ＰＩＮコードにより作動するロックとして電気ロックが構成され得る選択肢も存在する。
【図面の簡単な説明】
【００４７】
【図１】この発明に従った通信ユニットの機能の原理を示す図である。
【図２】ヘッドセットと、公衆交換電話と、ヘッドセットとの間の結合がどのように設定されるかについての例を示す図である。
【手続補正３】
【補正対象書類名】図面
【補正対象項目名】図２
【補正方法】変更
【補正の内容】
【図２】
2007507136.tif 000005
【国際調査報告】
2007507136.tif 000006
2007507136.tif 000007
2007507136.tif 000008